(57)【特許請求の範囲】
【請求項１】
駆動軸が前方に延びる計器本体と、
前記駆動軸の先端側に装着される指針と、
この指針の指示対象となる指標部とこの指標部を含んで連続する所定領域を光透過性に形成してなる第１のパネル領域とこの第１のパネル領域に隣接する遮光性の第２のパネル領域とを有する前面パネルと、
この前面パネルの背後で前記第１のパネル領域よりも前記駆動軸側であって前記駆動軸の周囲近傍に、発光面が前記駆動軸の軸方向を向くように配置される複数の光源と、
前記前面パネルの背後に配置され、前記駆動軸を取り巻くと共に前記複数の光源と対向し前記光源からの照明光を外周に反射する第１の反射部と前記前面パネルとは適宜空間を空けて外側に延長し前記照明光を前記前面パネル側に反射する第２の反射部とを有する反射体と、
を備えることを特徴とするメータ装置。
【請求項２】
前記指針は前記第１のパネル領域内に延びる非発光指針からなることを特徴とする請求項１記載のメータ装置。
【請求項３】
前記前面パネルは前記駆動軸と前記指針とを連結するための貫通孔を有し、この貫通孔の周囲から前記第２のパネル領域部分が前記第１のパネル領域まで延び、この第２のパネル領域部分に前記光源が配置されることを特徴とする請求項１記載のメータ装置。
【請求項４】
前記指標部が遮光性を有することを特徴とする請求項１記載のメータ装置。
【請求項５】
前記反射体の背後に回路基板が配置され、前記計器本体は前記駆動軸が前記回路基板を貫通するように前記回路基板の背後に配置されることを特徴とする請求項１記載のメータ装置。
【請求項６】
前記反射体は前記駆動軸と前記光源との間に位置して前方側に延びる壁部を有し、この壁部に前記第１の反射部が形成されることを特徴とする請求項１記載のメータ装置。
【請求項７】
前記光源が前記駆動軸を中心とした同心円上に複数個配置されることを特徴とする請求項１記載のメータ装置。
【請求項８】
前記第１の反射部が前記前面パネルに対して所定角度傾斜した傾斜面または傾斜曲面からなることを特徴とする請求項１記載のメータ装置。
【請求項９】
前記傾斜面または傾斜曲面が前記駆動軸を取り巻く円錐面に形成されることを特徴とする請求項８記載のメータ装置。
【請求項１０】
前記第２の反射部または前記反射部が外側に向かうに従い前記前面パネルに近接する傾斜面もしくは傾斜曲面からなることを特徴とする請求項１記載のメータ装置。
【請求項１１】
前記傾斜面もしくは前記傾斜曲面は前面パネルに対する傾斜角が外側に向かうに従い次第に大きくなるように形成されることを特徴とする請求項１０記載のメータ装置。
【請求項１２】
前記反射体が白色系の合成樹脂材料からなることを特徴とする請求項１記載のメータ装置。
【請求項１３】
前記反射体の壁面を光沢面としたことを特徴とする請求項１記載のメータ装置。
【発明の詳細な説明】
【０００１】
【発明の属する技術分野】
本発明は、例えばオートバイや自動車をはじめとする各種車両に搭載されるメータ装置に関し、詳しくはその照明構造に係わるものである。
【０００２】
【従来の技術】
各種車両に搭載されるメータ装置は、回路基板に駆動軸を突設した計器本体を装着し、駆動軸の先端に装着し、この指針の背後に目盛や文字等の指標部のみが光透過性に形成され、他の部分が遮光性を有するように形成された前面パネルを配置し、この前面パネルの背後に配置した光源により、前面パネルの指標部を透過照明する構造が一般的である。
【０００３】
この種メータ装置の中には、指標部のみを発光させるのではなく、指標部を含んで連続する所定領域を光透過性の発光面として設け、この発光面を光源を通じて透過照明する、いわゆる面発光タイプのものが知られている。
【０００４】
このように前面パネルを面発光させるメータ装置にあっては、発光面の照明ムラを低減するため、光源と前面パネルとの間に拡散板や導光体を介在させるものや前面パネルの背後にＥＬ（エレクトロルミネッセンス）等の面発光光源を配置したものが知られている（例えば特開平１１−１１８５３５号公報、特開平１１−１４３４１２公報参照）。
【０００５】
【発明が解決しようとする課題】
しかしながら、光源と前面パネルとの間に拡散板や導光体を介在させるものは、部品点数並びに重量の増加や構造の複雑化を招くだけでなく、設計時において厄介な照明チューニングを必要とし、コストダウンを図る際の大きなネックとなる。またＥＬ等、面状光源は高価であるため、面状光源の使用はそのままコスト上昇につながるという問題を有している。
本発明はこれらの点に鑑みてなされたものであり、その主な目的は、前面パネルを面発光させるにあたり、コストダウンを達成し得るメータ装置を提供せんとするものである。
【０００６】
【課題を解決するための手段】
本発明は前記目的を達成するため、駆動軸が前方に延びる計器本体と、前記駆動軸の先端側に装着される指針と、この指針の指示対象となる指標部とこの指標部を含んで連続する所定領域を光透過性に形成してなる第１のパネル領域とこの第１のパネル領域に隣接する遮光性の第２のパネル領域とを有する前面パネルと、この前面パネルの背後で前記第１のパネル領域よりも前記駆動軸側であって前記駆動軸の周囲近傍に、発光面が前記駆動軸の軸方向を向くように配置される複数の光源と、前記前面パネルの背後に配置され、前記駆動軸を取り巻くと共に前記複数の光源と対向し前記光源からの照明光を外周に反射する第１の反射部と前記前面パネルとは適宜空間を空けて外側に延長し前記照明光を前記前面パネル側に反射する第２の反射部とを有する反射体と、を備えることを特徴とする
【０００８】
また本発明は、前記指針が前記第１のパネル領域内に延びる非発光指針からなることを特徴とする。
【０００９】
また本発明は、前記前面パネルは前記駆動軸と前記指針とを連結するための貫通孔を有し、この貫通孔の周囲から前記第２のパネル領域部分が前記第１のパネル領域まで延び、この第２のパネル領域部分に前記光源が配置されることを特徴とする。
【００１０】
また本発明は、前記指標部が遮光性を有することを特徴とする。
【００１１】
また本発明は、前記反射体の背後に回路基板が配置され、前記計器本体は前記駆動軸が前記回路基板を貫通するように前記回路基板の背後に配置されることを特徴とする。
【００１２】
また本発明は、前記反射体が前記駆動軸と前記光源との間に位置して前方側に延びる壁部を有し、この壁部に前記第１の反射部が形成されることを特徴とする。
【００１３】
また本発明は、前記光源が前記駆動軸を中心とした同心円上に複数個配置されることを特徴とする。
【００１４】
また本発明は、前記第１の反射部が前記前面パネルに対して所定角度傾斜した傾斜面または傾斜曲面からなることを特徴とする。
【００１５】
また本発明は、前記傾斜面または傾斜曲面が前記駆動軸を取り巻く円錐面に形成されることを特徴とする。
【００１６】
また本発明は、前記第２の反射部または前記反射部が外側に向かうに従い前記前面パネルに近接する傾斜面もしくは傾斜曲面からなることを特徴とする。
【００１７】
また本発明は、前記傾斜面もしくは前記傾斜曲面が前面パネルに対する傾斜角が外側に向かうに従い次第に大きくなるように形成されることを特徴とする。
【００１８】
また本発明は、前記反射体が白色系の合成樹脂材料からなることを特徴とする。
【００１９】
また本発明は、前記反射体の壁面を光沢面としたことを特徴とする。
【００２０】
【発明の実施の形態】
本発明によるメータ装置は、回路基板に駆動軸が前方に延びる計器本体を装着し、駆動軸の先端側に指針を装着し、この指針と回路基板との間に、指針の指示対象となる指標部、この指標部を含んで連続する所定領域を光透過性に形成してなる第１のパネル領域、この第１のパネル領域に隣接する遮光性の第２のパネル領域で構成される前面パネルを配置し、第１のパネル領域よりも駆動軸側に位置する回路基板の前方側に、発光面が駆動軸の軸方向を向くように光源を配置し、前面パネルと回路基板との間に、光源と対向しその照明光を外周に反射する第１の反射部と前面パネルとは適宜空間を空けて外側に延長し照明光を前面パネル側に反射する第２の反射部とを有する反射体を備えるもので、光源から発せられた照明光は、反射体の第１の反射部で外周に反射され、このように第１の反射部で外周に反射された照明光は、さらに反射体の第２の反射部で前面パネル側に反射され、第１のパネル領域を透過照明する。このように第１，第２の反射部を通じて前面パネルを照明することで、前面パネルの背後に光源、第１，第２の反射部、これら各反射部間に介在する空気層でなる照明室を形成でき、これにより、シンプルな構成で、前面パネルの背後に面状光源を配置することなく第１のパネル領域を略均一に面発光させることができ、コストダウンを達成できる。
【００２１】
また本発明によるメータ装置は、回路基板、計器本体、指針、前面パネル、光源、反射体でなる基本構成において、発光面が駆動軸の位置に対して反対側を向くように光源を配置し、反射体には前面パネルとは適宜空間を空けて外側に延長し光源からの照明光を前面パネル側に反射する反射部を設けてもよく、このように構成することで前述構成と同様、前面パネルの背後に光源、反射部、空気層でなる照明室を形成でき、これにより、シンプルな構成で、面状光源を用いることなく第１のパネル領域を略均一に面発光させることができ、コストダウンを達成できる。
【００２２】
また前述各実施形態において、指針を第１のパネル領域内に延びる非発光指針とし、この非発光指針を第１のパネル領域上で影または透過像として視認させることで、指針照明用の光源や指針照明に係わる種々の部品並びに構造設定が不要となり、更なるコストダウンにつながる。この際、指針は遮光性に設けても光透過性に設けてもよいが、光透過性に設ける場合は、第１のパネル領域の発光色とは異なる透過色に設定したり、一部を遮光性に設ける等、指針の透過像が背景となる第１のパネル領域と区別できるように設定するのが望ましい。
【００２３】
また前述各実施形態において、前面パネルに駆動軸と指針とを連結するための貫通孔を設け、この貫通孔の周囲から第１のパネル領域まで延びる前面パネル部分を第２のパネル領域部分として設定し、この第２のパネル領域部分に光源を配置すると、不要な領域を不可視とすることができる。
【００２４】
また前述各実施形態において、指標部を遮光性に形成すると、発光する背景中に指標部を影として高コントラスト表示でき、視認性を向上させることができる。なお、指標部は光透過性に形成し、透過像として表示することもできるが、指標部を光透過性に設ける場合は、指針の場合と同様、指標部の透過像が背景となる第１のパネル領域と区別できるように設定するのが望ましい。
【００２５】
また前述各実施形態において、計器本体を駆動軸が回路基板を貫通するように回路基板の背後に配置すると、回路基板の前方側における駆動軸まわりの空間スペースを確保でき、これにより第１のパネル領域を駆動軸方向に広げることができ、発光面の拡大が可能となる。
【００２６】
また前述各実施形態において、反射体に第１の反射部を設ける場合、駆動軸と光源との間に位置して前方側に延びる壁部に第１の反射部を形成すると有利である。また第１の反射部は前面パネルに対して所定角度傾斜した傾斜面または傾斜曲面から形成するのが望ましく、第１の反射部を傾斜面または傾斜曲面に設定する場合、駆動軸を取り巻く円錐形に形成すると、光源からの光を外周方向にバランスよく反射することができる。
【００２７】
また前記各実施形態において、光源を駆動軸を中心とした同心円上に複数個配置すると、明るく且つバランスのとれた照明を行うことができる。また光源の種類は任意であるが、小型で発熱量の小さい発光ダイオードが好適である。
【００２８】
また前記各実施形態において、第２の反射部または反射部は、外側に向かうに従って序々に前面パネルに近接する傾斜面か傾斜曲面にて構成すると、照明の均一化の点で有利である。
【００２９】
この際、傾斜面もしくは傾斜曲面は、前面パネルに対する傾斜角が外側に向かうに従い次第に大きくなるように形成するとさらに有利である。
【００３０】
また前記各実施形態において、反射体は白色系の合成樹脂材料から形成すると、軽量化やコストダウンに好適である。この際、反射体の壁面を光沢面とすると、照明効率の点で有利である。
【００３１】
【実施例】
以下、添付図面に基づき、本発明によるメータ装置の実施例を説明する。
【００３２】
図１から図５は本発明の第１実施例を示し、図１はメータ装置の分解斜視図、図２は図１の組み付け状態を示す要部平面図、図３は反射体の要部斜視図、図４は図２のＡ−Ａ線に沿った断面図、図５は図２のＢ−Ｂ線に沿った断面図である。
【００３３】
図１において、本実施例による計器装置は、回路基板１と、この回路基板１に導通装着され駆動軸２が前方に延びる計器本体３と、駆動軸２の先端側に装着される指針４と、この指針４と回路基板１との間に配置される前面パネル５と、駆動軸２の周囲に近接して回路基板１の前方側位置に配置される光源６と、前面パネル５と回路基板１との間に配置される反射体７とから構成される。
【００３４】
回路基板１は、例えばガラスエポキシ系基材に配線パターン（図示せず）を施した硬質回路基板からなり、計器本体３の駆動・制御を行う駆動手段（図示せず）や例えば抵抗、コンデンサ等の各種回路部品（図示せず）が前記配線パターンに導通接続されている。
【００３５】
計器本体３は、可動磁石式計器またはステッピングモータからなり、駆動軸２が回路基板１に形成した軸孔１１を貫通するように、回路基板１の背後に装着され、且つ半田付け等の適宜導通手段により前記配線パターン（前記駆動手段）に電気接続される。
【００３６】
指針４は、遮光性の合成樹脂からなり、図２，図４に詳しく示すように、駆動軸２の先端に連結されるボス部４１と、このボス部４１から前面パネル５の板面に沿って延びる指示部４２とを有し、指示部４２はその先端側が前面パネル５の後述する第１のパネル領域内に延びている。
【００３７】
前面パネル５は、図２に詳しく示すように、指針４の回動軌道に沿った円弧状の配列形状を有して配置され、指針４の指示対象となる目盛や文字、マークからなる指標部５１と、この指標部５１に沿うように指標部５１を含んで帯状に連続する光透過性領域からなる第１のパネル領域５２と、この第１のパネル領域５２を囲むように隣接する遮光性領域からなる第２のパネル領域５３とを備える。
【００３８】
第２のパネル領域５３は、前面パネル５の基材となる透明合成樹脂からなる基板５ａの表面に印刷形成された遮光性インク層５ｂからなり、この遮光性インク層５ｂを形成しない帯状の抜き部によって第１のパネル領域５３が形成されている。なお本実施例では第１のパネル領域５２の形状を帯状に設定しているが、指標部５１を内包する所定の連続領域として形成されていれば、形状については任意である。また第１のパネル領域５２は光透過性を有していれば、例えば光透過性の着色インクにて着色することもできる。また照明効率の向上を目的として、前面パネル５の反射体７に対向する側に白色系の反射印刷層を設けてもよい。
【００３９】
指標部５１は、遮光性インク層５ｂにて第２のパネル領域５３の印刷形成と同時に第１のパネル領域５２内に位置するように印刷形成されている。
【００４０】
前面パネル５にはまた、駆動軸２に対応した位置に貫通孔５４が設けられ、この貫通孔５４を通じて駆動軸２と指針４のボス部４１とが連結できるようになっている。
【００４１】
光源６は、例えばチップ型発光ダイオードからなり、回路基板１の前方側であって、前面パネル５の第１のパネル領域５２よりも駆動軸２側で貫通孔５４の周囲から第１のパネル領域５２に向けて延びる第２のパネル領域５３内に位置するよう、この場合、軸孔１１または駆動軸２の周囲近傍に複数、駆動軸２を中心とした同心円上に略等間隔に複数個配置されている。この際、光源６は、その発光面６ａが駆動軸２の軸方向を向くように配置されれている。
【００４２】
反射体７は、白色系の合成樹脂にてケース形状に形成された射出成形体からなり、図３，図４に詳しく示すように、前面パネル５の指標部５１を含む第１のパネル領域５２を取り巻くように前方側に延びる周壁部７１と、この周壁部７１の前方側から部分的に前面パネル５に沿って中央側（駆動軸２側）に延びる延長部７２と、この延長部７２に支持され前面パネル５の貫通部５４に対応した開口部７３を有する筒状の壁部７４と、この壁部７４を所定間隔を空けて取り巻くと共に光源６と対向するように壁部７４の背後側端部より斜め方向に伸長する第１の反射部７５と、この第１の反射部７５及び壁部７４に対応して底部側に形成されこれら第１の反射部７５及び筒状部７４を型形成する際の型抜き部となる環状の開放部７６と、延長部７２を除く周壁部７１の前方側より光源６側（開放部側）に延びる第２の反射部７７とを有している。
【００４３】
なおこの場合、少なくとも筒状部７４内側外壁面、第１の反射部７５の光源６側外壁面、第２の反射部７７の前面パネル５側外壁面は、成形金型の面研磨あるいは成形後のクリア塗装等により光沢面として形成されている。また本実施例では反射体７は、計器本体３の個数に対応した反射体部分を複数個備える１ピース部品にて形成されている。なお本実施例では第１の反射部７５を第２の反射部７７と連続して設けているが、これら各反射部７５，７７は別部品から設けることもできる。
【００４４】
第１の反射部７５は、壁部７４を取り巻いて前面パネル５側が径大、光源６側が径小となる略円錐状の傾斜面からなり、所定間隔を空けて光源６の発光面６ａに対向している。またその傾斜角は、前面パネル５の板面に対して略４５度に設定され、光源６からの照明光を外周方向（第２の反射部７７側）に反射するように形成されている。また第１の反射部７５は、筒状部７４と共に延長部７２に支持され、それらの断面形状は、図４，図５に示すように略「Ｖ」字形である。
【００４５】
第２の反射部７７は、光源６の周囲を取り巻くように前面パネル５とは空気層Ｓを隔てて外側（周壁部７１の前面側）に延長すると共に、外側に向かうに従って次第に前面パネル５に近接する傾斜面であって、前面パネル５に対する傾斜角が外側に向かうに従って次第に大きくなる曲面（傾斜曲面）に形成され、第１の反射部７５にて反射された照明光を前面パネル５側に反射するように形成されている。なお第２の反射部７７と第１の反射部７５とは、光源６対応箇所（開放部７６）を通じて分断されていて、これにより光源６からの直接光と第１の反射部７５による反射光を外周方向となる第２の反射部７７側に通過させることができるようになっている。またこのように第１，第２の反射部７５，７７を互いに分断することにより、空気層Ｓは、光源６（第１の反射部７５）に連続しており、この結果、第１の反射部７５、第２の反射部７７、空気層Ｓ、光源６の４者で照明光を前面パネル５に導く照明室を構成する。
【００４６】
このような構成において、光源６が発光すると、その照明光は、反射体７の第１の反射部７５によって外周方向（第２の反射部７７側）に反射され、第２の反射部７７に到達した照明光は、第２の反射部７７によって更に前面パネル５側に反射され、これにより前面パネル５の第１のパネル領域５２が発光する。この際、指標部５１と指針４の指示部４２は共に遮光性に形成されているため、明るく発光する第１のパネル領域５２が背景、指標部５１及び指示部４２が影となってコントラスト表示される。
【００４７】
以上のように本実施例によれば、回路基板１に駆動軸２が前方に延びる計器本体３を設け、駆動軸２の先端側に指針４を装着し、この指針４と計器本体３（回路基板１）との間に、指針４の指示対象となる指標部５１、この指標部５１を含んで連続する所定領域を光透過性に形成してなる第１のパネル領域５２、この第１のパネル領域５２に隣接する遮光性の第２のパネル領域５３で構成される前面パネル５を配置し、第１のパネル領域５２よりも駆動軸２側に位置する回路基板１の前方側に、発光面６ａが駆動軸２の軸方向を向くように光源６を配置し、前面パネル５と光源６（回路基板１）との間に、光源６の発光面６ａと対向しその照明光を外周に反射する第１の反射部７５と前面パネル５とは空気層（適宜空間）Ｓを空けて外側に延長し照明光を前面パネル５側に反射する第２の反射部７７とを有する反射体７を備えたことにより、光源６から発せられた照明光は、第１の反射部７５で外周に反射され、第１の反射部で外周に反射された照明光はさらに第２の反射部７７で前面パネル５側に反射されて、第１のパネル領域５２に到達するため、シンプルな構成で、前面パネル５の背後に面状光源を配置することなく第１のパネル領域５２を略均一に面発光させることができ、コストダウンを達成できる。
【００４８】
また本実施例では、指針４を第１のパネル領域５２内に延びる非発光指針とし、この非発光指針を第１のパネル領域５２上で影として視認させることができるため、指針照明用の光源や指針照明に係わる種々の部品並びに構造設定が不要であり、これにより更なるコストダウンを達成できる。
【００４９】
また本実施例では、前面パネル５に駆動軸２と指針４とを連結するための貫通孔５４を設け、この貫通孔５４の周囲から第１のパネル領域５２まで延びる前面パネル５部分を第２のパネル領域５３部分として設定し、この第２のパネル領域６３部分に光源６を配置することで、光源６が配置される不要な領域を不可視とすることができる。
【００５０】
また本実施例では、指標部５１を遮光性に形成したことにより、発光する背景中に指標部５１を影として高コントラスト表示でき、視認性を向上させることができる。
【００５１】
また本実施例では、計器本体４を駆動軸２が回路基板１を貫通するように回路基板１の背後に配置したことにより、回路基板１の前方側における駆動軸２まわりの空間スペースを確保でき、これにより第１のパネル領域５２を駆動軸方向に広げることが可能となり、発光面の拡大に有利である。
【００５２】
また本実施例では、第１の反射部７５を前面パネル５に対して所定角度傾斜した傾斜面として駆動軸を取り巻く円錐面に形成したことにより、光源６からの光を外周方向にバランスよく反射することができる。
【００５３】
また本実施例では、光源６を駆動軸２を中心とした同心円上に複数個配置したことにより、明るく且つバランスのとれた照明を行うことができる。
【００５４】
また本実施例では、第２の反射部７７を外側に向かうに従って序々に前面パネル５に近接する傾斜曲面にて構成したことにより、照明の均一化に有利であり、特にその傾斜曲面を前面パネル５に対する傾斜角が外側に向かうに従い次第に大きくなるように形成したことにより、前面パネル５を均一に照明することができる。なお第２の反射部７７は傾斜曲面のみに限らず傾斜平面、または前面パネル５に対する傾斜角が異なる複数の傾斜平面を組み合わせたもの、また傾斜平面と傾斜曲面を組み合わせたものでもよい。。
【００５５】
また本実施例では、反射体７を白色系の合成樹脂材料から形成したことにより、軽量化やコストダウンに好適となる。この際、反射体７の壁面を光沢面とすると、照明効率を高めることができる。
【００５６】
図６は、本発明の第２実施例として計器本体配置の変形例を示すものである。
【００５７】
すなわち、前記第１実施例においては計器本体３を回路基板１の背後に設け、駆動軸２が回路基板１を貫通する構成となしたが、本実施例では、計器本体３を回路基板１の前方側に配置したものであり、かかる構成によっても照明に際しては、前記第１実施例と同様の効果を期待できる。
【００５８】
図７は、本発明の第３実施例を示す断面図であり、本実施例では、光源並びに反射体の変形例を示すものである。
【００５９】
すなわち、前記第１，第２の実施例では、光源６としてチップ型発光ダイオードを用い、その発光面６ａを駆動軸２の軸方向に向けて配置したが、本実施例では、光源６を樹脂モールド部６１とリード電極６２からなるランプ型発光ダイオードを用い、その発光面６ｂを駆動軸２の位置とは反対側に向けて配置している。また反射体７は、前記第１，第２の実施例にて採用した第１の反射部７５を廃止し、前面パネル５とは空気層（適宜空間）Ｓを空けて外側に延長し光源６からの照明光を前面パネル５側に反射する単一の反射部７８のみとしたもので、かかる構成によっても前記各実施例と同様の効果を期待できる。
【００６０】
【発明の効果】
以上詳述したように、駆動軸が前方に延びる計器本体と、前記駆動軸の先端側に装着される指針と、この指針の指示対象となる指標部とこの指標部を含んで連続する所定領域を光透過性に形成してなる第１のパネル領域とこの第１のパネル領域に隣接する遮光性の第２のパネル領域とを有する前面パネルと、この前面パネルの背後で前記第１のパネル領域よりも前記駆動軸側であって前記駆動軸の周囲近傍に、発光面が前記駆動軸の軸方向を向くように配置される複数の光源と、前記前面パネルの背後に配置され、前記駆動軸を取り巻くと共に前記複数の光源と対向し前記光源からの照明光を外周に反射する第１の反射部と前記前面パネルとは適宜空間を空けて外側に延長し前記照明光を前記前面パネル側に反射する第２の反射部とを有する反射体と、を備えることにより、前面パネルを面発光させるにあたり、コストダウンを達成し得るメータ装置を提供することができる。
【図面の簡単な説明】
【図１】本発明の第１実施例となるメータ装置の分解斜視図。
【図２】図１の組み付け状態を示す要部平面図。
【図３】反射体の要部斜視図。
【図４】図２のＡ−Ａ線に沿った断面図。
【図５】図２のＢ−Ｂ線に沿った断面図。
【図６】本発明の第２実施例を示す断面図。
【図７】本発明の第３実施例を示す断面図。
【符号の説明】
１  回路基板
２  駆動軸
３  計器本体
４  指針
５  前面パネル
６  光源
６ａ，６ｂ  発光面
７  反射体
５１  指標部
５２  第１のパネル領域
５３  第２のパネル領域第１の光源
５４  貫通孔
７１  周壁部
７２  延長部
７３  開口部
７４  壁部
７５  第１の反射部
７６  開放部
７７  第２の反射部
７８  反射部
【図１】
0003747452.tif 000002
【図２】
0003747452.tif 000003
【図３】
0003747452.tif 000004
【図４】
0003747452.tif 000005
【図５】
0003747452.tif 000006
【図６】
0003747452.tif 000007
【図７】
0003747452.tif 000008